(57)【要約】【課題】被施療者の望む微妙な力加減に応じた施療効果を得ることができるマッサージ機を提供する。【解決手段】マッサージ機１は、背もたれ部１ｂに、被施療者２の身体に接触させて施療するための施療子３と、施療子３を背もたれ部１ｂから突退出自在に移動させる第１の駆動部４と、施療子３を背もたれ部１ｂの幅方向に移動させる第２の駆動部５とを備える駆動構成部６を、この駆動構成部６を背もたれ部１ｂの高さ方向に移動させる第３の駆動部７とともに備え、マッサージ機１の操作を行うための操作部８に、被施療者２が操作押圧する被押圧面１６を備えるとともにこの被押圧面１６に生じた押圧力を検出する６軸の圧力センサ１７と、この６軸の圧力センサ１７から得られる検出出力に応じて施療子３を動作させるために、前記各駆動部４、５、７を制御する制御値を前記押圧力から算出する演算部１８とを備える。【選択図】図１
2008029899.tif 000002
【特許請求の範囲】
【請求項１】
被施療者の身体に接触させて施療するための施療子と、前記被施療者が座る椅子部の背もたれ部に配設され、前記施療子を前記背もたれ部から突退出自在に移動させる第１の駆動部と、前記施療子を前記背もたれ部の幅方向に移動させる第２の駆動部とを備える駆動構成部と、前記背もたれ部に配設された前記駆動構成部を前記背もたれ部の高さ方向に駆動させる第３の駆動部と、前記各駆動部の動作を指示する操作部と、前記操作部に備えられ、前記被施療者が操作押圧する被押圧面を有するとともに、前記被押圧面に生じる押圧力を検出するセンサ手段と、前記押圧力の大きさに応じた前記施療子による施療効果を前記被施療者に与えるために、前記各駆動部を制御する制御値を前記押圧力から算出する演算部とを備えていることを特徴とするマッサージ機。
【請求項２】
前記センサ手段は、前記押圧力の前記被押圧面に対して垂直方向の成分を検出する機能を有し、前記演算部は、前記センサ手段により検出された前記垂直方向の成分の大きさに応じて前記施療子を前記被施療者に対して突退出させるために、前記各駆動部を制御する制御値を算出することを特徴とする請求項１記載のマッサージ機。
【請求項３】
前記センサ手段は、前記押圧力の前記被押圧面内の横ずれ成分を検出する機能を有し、前記演算部は、前記センサ手段により検出された前記被押圧面内の横ずれ成分の大きさに応じた前記施療子による横ずれの施療効果を前記被施療者の背部に与えるために、前記各駆動部を制御する制御値を算出することを特徴とする請求項１記載のマッサージ機。
【請求項４】
前記操作部は、前記被施療者の操作する側の前記操作部の表面部位に人体の形状図を記されるとともに、前記人体の形状図の人体の施療部位に対応して前記被施療者が操作押圧した位置を検出する接触センサを前記被押圧面上に複数個備え、前記演算部は、前記被施療者により前記接触センサが操作押圧された際に、前記各駆動部を制御して、当該接触センサの位置に対応する前記被施療者の背部の施療位置へ前記施療子を移動させる制御値を算出することを特徴とする請求項１乃至３いずれか記載のマッサージ機。
【発明の詳細な説明】
【技術分野】
【０００１】
本発明は、施療子で押圧してマッサージを行うマッサージ機に関する。
【背景技術】
【０００２】
従来のマッサージ機としては、施療子をマッサージ駆動するために、空気供給源からの圧縮空気の給排気によって伸縮する３個の蛇腹状のエアセルから構成される駆動部を設けるとともに、施療子の動きを操作する操作部を設けたものが提供されている（特許文献１）。
【０００３】
また、ツボの名称が記載されたボタンスイッチを設けられた操作装置を備え、このボタンスイッチを押すと、該ボタンスイッチによって選択されたツボに対応する身体の箇所へ施療子を移動させてマッサージを施す機能を備えたものが提供されている（特許文献２）。
【特許文献１】特開２０００−１６７０２０号公報（第２図）
【特許文献２】特開２００１−１６１７６７号公報（第１図及び第３図）
【発明の開示】
【発明が解決しようとする課題】
【０００４】
上述の両者のマッサージ機は、モミ玉と呼ばれる施療子を被施療者の身体に押し当てたり、加圧しながら所定の軌跡を移動させたりすることでマッサージを行うものであり、こられは施療子の位置を被施療者の望む位置に移動させることは可能であるが、施療の際のマッサージ力の加減を設定された所定の強さに段階的に切り換えることしかできず、被施療者の望む微妙な力加減に応じた施療子による施療効果を得ることができないという問題があった。
【０００５】
本発明は上述の点に鑑みて為されたもので、その目的は、被施療者の望む微妙な力加減に応じた施療効果を得ることができるマッサージ機を提供することである。
【課題を解決するための手段】
【０００６】
上記の課題を解決するために、請求項１の発明では、被施療者の身体に接触させて施療するための施療子と、前記被施療者が座る椅子部の背もたれ部に配設され、前記施療子を前記背もたれ部から突退出自在に移動させる第１の駆動部と、前記施療子を前記背もたれ部の幅方向に移動させる第２の駆動部とを備える駆動構成部と、前記背もたれ部に配設された前記駆動構成部を前記背もたれ部の高さ方向に駆動させる第３の駆動部と、前記各駆動部の動作を指示する操作部と、前記操作部に備えられ、前記被施療者が操作押圧する被押圧面を有するとともに、前記被押圧面に生じる押圧力を検出するセンサ手段と、前記押圧力の大きさに応じた前記施療子による施療効果を前記被施療者に与えるために、前記各駆動部を制御する制御値を前記押圧力から算出する演算部とを備えていることを特徴とするマッサージ機とした。
【０００７】
請求項１の発明によれば、操作部に被施療者の操作押圧による押圧力を検出するセンサ手段を備え、この押圧力の大きさに応じた施療子による施療効果を被施療者に与えることができる。これにより、被施療者は、操作押圧による押圧力を加減することで所望の微妙な力加減の施療効果を得ることができる。
【０００８】
請求項２の発明では、請求項１の発明の構成に加えて、前記センサ手段は、前記押圧力の前記被押圧面に対して垂直方向の成分を検出する機能を有し、前記演算部は、前記センサ手段により検出された前記垂直方向の成分の大きさに応じて前記施療子を前記被施療者に対して突退出させるために、前記各駆動部を制御する制御値を算出することを特徴とするマッサージ機とした。
【０００９】
請求項２の発明によれば、押圧力の被押圧面に対して垂直方向の成分の大きさに応じて、施療子を被施療者に対して突退出させることができる。これにより、被施療者は、操作押圧による押圧力を加減することで所望の微妙な力加減の指圧等の押込動作による施療効果を得ることができる。
【００１０】
請求項３の発明では、請求項１の発明の構成に加えて、前記センサ手段は、前記押圧力の前記被押圧面内の横ずれ成分を検出する機能を有し、前記演算部は、前記センサ手段により検出された前記被押圧面内の横ずれ成分の大きさに応じた前記施療子による横ずれの施療効果を前記被施療者の背部に与えるために、前記各駆動部を制御する制御値を算出することを特徴とするマッサージ機とした。
【００１１】
請求項３の発明によれば、押圧力の被押圧面内の横ずれ成分の大きさに応じた施療子による横ずれの施療効果を被施療者の背部に対して与えることができる。これにより、被施療者は、操作押圧による押圧力を加減することで所望の微妙な力加減の線状揉捏、モミ、さすり等による施療効果を得ることができる。
【００１２】
請求項４の発明では、請求項１乃至３いずれかの発明の構成に加えて、前記操作部は、前記被施療者の操作する側の前記操作部の表面部位に人体の形状図を記されるとともに、前記人体の形状図の人体の施療部位に対応して前記被施療者が操作押圧した位置を検出する接触センサを前記被押圧面上に複数個備え、前記演算部は、前記被施療者により前記接触センサが操作押圧された際に、前記各駆動部を制御して、当該接触センサの位置に対応する前記被施療者の背部の施療位置へ前記施療子を移動させる制御値を算出することを特徴とするマッサージ機とした。
【００１３】
請求項４の発明によれば、操作部に記された人体の形状図の人体の施療部位に対応して操作部に複数個備えた接触センサを操作押圧することで、当該接触センサの位置に対応する被施療者の背部の施療位置へ施療子を移動させることができる。これにより、被施療者は、人体の施療部位に対応する接触センサを操作押圧することで、人体の施療部位を容易に選択でき、かつ操作押圧した人体の施療位置に対応する被施療者の背部の施療位置に施療子を移動させることができる。
【発明の効果】
【００１４】
本発明は、操作部に被施療者の操作押圧による押圧力を検出するセンサ手段を備え、この押圧力の大きさに応じた施療子による施療効果を被施療者に与えることができるため、被施療者は、操作押圧による押圧力を加減することで所望の微妙な力加減の施療効果を得ることができるという効果がある。
【発明を実施するための最良の形態】
【００１５】
（実施形態１）
本実施形態のマッサージ機１は、図１（ａ）に示すように被施療者２（図１（ｃ）参照）が座る座部１ａと背もたれ部１ｂとを備えた椅子型のマッサージ機である。
【００１６】
この背もたれ部１ｂには、後述する被施療者２の身体に接触させて施療するための施療子３（図１（ｂ）参照）と、施療子３を背もたれ部１ｂから突退出自在に移動させる第１の駆動部４（図１（ｃ）参照）と、施療子３を背もたれ部１ｂの幅方向に移動させる第２の駆動部５とを備える駆動構成部６が、この駆動構成部６を背もたれ部１ｂの高さ方向に移動させる第３の駆動部７とともに配設されている。また、各駆動部４、５、７の動作を指示してマッサージ機１の操作を行うための操作部８を備えている。
【００１７】
前記施療子３は、図１（ｂ）に示すように、被施療者２の身体に接触させる接触部９と、接触部９を固着する球体部１０、及び球体部１０を回動自由に保持する球受部１１から構成される球対偶部１２と、電磁石１３と、電磁石１３が取付固定される台座１４とから構成されている。接触部９は、例えば母指形状に形成されるとともに、球体部１０のねじ穴（図示せず）に螺入して固着するためのねじ部９ａを有している。球体部１０は、鉄系部材からなる球形状に形成され、前記ねじ穴を開口している。球受部１１は、その内部に球体部１０の外形状とほぼ同様な略球形状の空間である保持部１１ａを有して略円筒状に形成されている。而して球対偶部１２は、接触部９を固着した球体部１０を球受部１１の保持部１１ａに回動自由に嵌めこむことで構成されている。
【００１８】
電磁石１３は、磁界発生用コイル１５を巻装された略コ字形の鉄心１３ａからなり、鉄心１３ａの両側片部１３ｂの対向磁極間に球対偶部１２が配置される。台座１４はＬ字形に形成され、図１（ｂ）における横片１４ａ上には、先端に上向き形成した電磁石保持板１４ｂに電磁石１３の正面下部を当接させた状態で電磁石１３を固定配設しており、電磁石１３より下方に突出した磁界発生用コイル１５の部位は横辺１４ａの中央部に形成した切欠部１４ｃ内に納められている。
【００１９】
操作部８はその被施療者２が操作する側の表面部位に、被施療者２が操作押圧する被押圧面１６を備えるとともにこの被押圧面１６を被施療者２が操作押圧することにより生じた押圧力を検出するセンサ手段として、後述する６軸の圧力センサ１７を有している。また、操作部８は、この６軸の圧力センサ１７から得られる検出出力に応じて施療子３を動作させるために、前記各駆動部４、５、７のモータを制御する指令値たる制御値を前記押圧力から算出する演算部１８を備えている。
【００２０】
前記６軸の圧力センサ１７は、被押圧面１６に生じた押圧力の各力成分を検出する圧力センサであり、図２（ａ）〜（ｄ）に示すように被押圧面１６に対して垂直下方向をｚ軸、被押圧面１６の面内において互いに直交する方向をｘ軸、ｙ軸としたときに、被押圧面１６に生じた押圧力のｘ軸方向の成分Ｆｘ、ｙ軸方向の成分Ｆｙ、及びｚ軸方向の成分Ｆｚを検出するとともに、ｘ軸を回転軸としたモーメントＭｘ、ｙ軸を回転軸としたモーメントＭｙ、及びｚ軸を回転軸としたモーメントＭｚを検出する機能を備えている。すなわち、この６軸の圧力センサ１７を用いることで、図２（ａ）に示すように押圧力の被押圧面１６に対して垂直方向の成分をＦｚ、図２（ｂ）に示すように押圧力の被押圧面１６内の横ずれ成分をＦｘ及びＦｙ、図２（ｃ）に示すように被押圧面１６に押圧力を生じさせた状態で、被押圧面１６を押圧する方向を変化させた際に被押圧面１６に生じる押圧力の被押圧面１６に対して平行方向を回転軸とするモーメントをＭｘ（図１（ｃ）参照）及びＭｙ、図２（ｄ）に示すように被押圧面１６に押圧力を生じさせた状態で、被押圧面１６を押圧する方向を変化させた際に、被押圧面１６に生じる押圧力の被押圧面１６に対して垂直方向を回転軸とする回転トルクをＭｚとして検出することができる。
【００２１】
また、演算部１８は、上述したように６軸の圧力センサ１７からの検出出力に応じて施療子３を動作させるために前記各駆動部４、５、７を制御する制御値を押圧力から算出する機能を備えているが、本実施形態において演算部１８は、上記Ｆｚの大きさに応じて施療子３を被施療者２に対して突退出させるために、各駆動部４、５、７を制御する制御値Ｃ３をＦｚから算出し、上記Ｆｘ、Ｆｙの大きさに応じた施療子３による横ずれの施療効果を被施療者２の背部に与えるために、各駆動部４、５、７を制御する制御値Ｃ１、Ｃ２をＦｘ、Ｆｙから算出し、上記Ｍｘ、Ｍｙの大きさに応じた施療子３によるモーメントを被施療者２に生じさせるために、各駆動部４、５、７を制御する制御値Ｃ４、Ｃ５をＭｘ、Ｍｙから算出し、上記Ｍｚの大きさに応じた施療子３による回転トルクを被施療者２の背部に生じさせるために、各駆動部４、５、７を制御する制御値Ｃ６をＭｚから算出するように設定してある。
【００２２】
以上により本実施形態のマッサージ機１は構成され、次に操作部８に備えた被押圧面１６を被施療者２が操作押圧した際の動作について説明する。
【００２３】
図１（ｃ）に示すように、被施療者２が操作部８に備えられた被押圧面１６を操作押圧して、被押圧面１６に押圧力が生じると、６軸の圧力センサ１７によりこの押圧力の各力成分Ｆｘ、Ｆｙ、Ｆｚ、Ｍｘ、Ｍｙ、Ｍｚが検出され、上記演算部１８へ出力される。演算部１８は６軸の圧力センサ１７からの検出出力である各成分Ｆｘ、Ｆｙ、Ｆｚ、Ｍｘ、Ｍｙ、Ｍｚに応じて上述のように施療子３を動作させるべく、各成分Ｆｘ、Ｆｙ、Ｆｚ、Ｍｘ、Ｍｙ、Ｍｚに対応して各駆動部４、５、７を制御する制御値Ｃ１〜Ｃ６を算出し、この制御値Ｃ１〜Ｃ６を信号処理部１９へ出力し、信号処理部１９を介して、各駆動部４、５、７を制御して施療子３に上述の動作をさせる。
【００２４】
本実施形態によれば、被施療者２が操作押圧する被押圧面１６を備え、この被押圧面１６に生じた押圧力を検出する６軸の圧力センサ１７を操作部８に設けるとともに、６軸の圧力センサ１７の検出出力に基づいて施療子３を動作させるために、各駆動部４、５、７を制御する制御値Ｃ１〜Ｃ６を算出する演算部１８を備えているので、被施療者２が操作部８の被押圧面１６を操作押圧することで生じる押圧力により施療子３の動作を制御できる。そのため、被施療者２は、被押圧面１６に生じた押圧力の大きさに応じた施療子３による施療効果を得ることができ、所望の微妙な力加減の施療効果を得ることができる。
【００２５】
なお、本実施形態では押圧力を検出するセンサ手段として、各方向の力成分だけではなく、各方向軸を回転軸としたモーメントの検出も可能である６軸の圧力センサ１７を用いたので、被施療者２が所望する動きや力を忠実に施療子３により再現することができる。例えば、被施療者２が被押圧面１６に対してひねるように指を動かして操作押圧すると、その際に作用する力やモーメントとほぼ同様な力やモーメントを施療子３を介して被施療者２の身体に作用させることができる。
【００２６】
（実施形態２）
上述の実施形態１では、センサ手段として６軸の圧力センサ１７を用いているが、本実施形態は、上記のような６軸の圧力センサ１７から検出する力成分の数を減らした安価な圧力センサを用いたものである。
【００２７】
例えば、操作部８に備えるセンサ手段として、押圧力の被押圧面１６に対して垂直方向の成分を示すＦｚのみを検出する圧力センサである押力センサ２０を用いることができる。この場合、図３（ａ）に示すように、Ｆｚのみが検出され、演算部１８は、押力センサ２０により検出されたＦｚの大きさに応じて施療子３を被施療者２に対して突退出させるために、各駆動部４、５、７を制御する制御値Ｃ３をＦｚから算出する。これにより、指圧等の押込動作を実現することができ、かつ、被施療者２は、操作押圧による押圧力を加減することで、指圧等の押込動作による所望の微妙な力加減の施療効果を得ることができる。
【００２８】
また、操作部８に備えるセンサ手段として、押圧力の被押圧面１６内の横ずれ成分を示すＦｘ、Ｆｙを検出する圧力センサである横ずれセンサ２１を用いることができる。この場合、図３（ｂ）に示すように、Ｆｘ、Ｆｙが検出され、演算部１８は、横ずれセンサ２１により検出されたＦｘ、Ｆｙの大きさに応じた施療子３による横ずれの施療効果を被施療者２の背部に対して与えるために、各駆動部４、５、７を制御する制御値Ｃ１、Ｃ２をＦｘ、Ｆｙから算出する。これにより、マッサージで多用する線状揉捏と呼ばれる指や手の平を押し当てながら直線を描くように動かすような手技や、モミ、さすり等の横ずれ動作を施療子３を用いて実現することができ、かつ、被施療者２は、操作押圧による押圧力を加減することで、線状揉捏、モミ、さすり等の横ずれ動作による所望の微妙な力加減の施療効果を得ることができる。
【００２９】
（実施形態３）
本実施形態のマッサージ機１は、操作部８に特徴があり、その他の構成については上述の実施形態１とほぼ同様のであるので説明を省略する。
【００３０】
図４（ａ）に示すように、操作部８は、平板状の６軸の圧力センサ１７の上面に設けた被押圧面１６を被覆するように、平板状に形成された操作部８の表面部位８ａを６軸の圧力センサ１７に配設して構成されるとともに、この表面部位８ａに人体の形状図が記されている。
【００３１】
この表面部位８ａには、被施療者２が操作押圧した位置を検出する接触センサ２４が、被押圧面１６上に位置するとともに、前記人体の形状図の人体の施療部位に対応して複数個埋設されている。
【００３２】
加えて、演算部１８には、上述した６軸の圧力センサ１７からの検出出力に基づいて各駆動部４、５、７を制御する制御値Ｃ１〜Ｃ６を算出する機能に加えて、図４（ｂ）に示すように、被施療者２が接触センサ２４を操作押圧した際に、当該接触センサ２４の位置を示す当該接触センサ２４の検出出力Ｐに対応する被施療者２の背部の施療位置へ施療子３を移動させるために、各駆動部４、５、７を制御する制御値Ｃ７を検出出力Ｐから算出する演算機能を付加してある。
【００３３】
本実施形態によれば、上述の実施形態１の効果に加えて、操作部８の表面部位８ａに、人体の形状図を記すとともに、この人体の形状図の人体の施療部位に対応して複数個の接触センサ２４を埋設してあり、演算部１８に、接触センサ２４を被施療者２が操作押圧した際に、当該接触センサ２４の位置に対応する被施療者２の背部の施療位置へ施療子３を移動させるための演算機能を備えたので、被施療者２は、所望の人体の施療部位に対応する接触センサ２４を操作押圧することで、所望の人体の施療部位を容易に選択でき、かつ操作押圧した人体の施療位置に対応する被施療者２の背部の施療位置に施療子３を移動させることができる。さらに、接触センサ２４を被押圧面１６上に位置するように操作部８に埋設してあるので、被施療者２は、接触センサ２４を操作押圧するとともに、被押圧面１６を操作押圧することができる。これにより、上述の実施形態１と同様の効果を得ることができる。もちろん、本実施形態は、上述の実施形態２に用いることもできる。
【００３４】
さらに、被施療者２の肩等の施療部位を検知するための検出手段として、凸状の位置検出部２７を背もたれ部１ｂの被施療者２の背中が当接する側に設けるとともに、位置検出部２７からの検出出力に基づいて人体背部の主要な施療位置を算出する機能を演算部１８に付加することとしてもよい。この場合のマッサージ機１を図５（ａ）に示す。位置検出部２７は、背もたれ部１ｂの幅方向の両側部に、上下方向に移動自在かつ、被施療者２側へ突出するように取り付けられており、位置検出部２７の下側部には、被施療者２に当接した際に被施療者２の肩位置を検出するための位置検出センサ２８を備えてある。
【００３５】
このようにして取り付けられた位置検出部２７を、背もたれ部１ｂの上部から下部へと徐々に下降させると、やがて、位置検出部２７に備えた位置検出センサ２８が被施療者２の肩に当接する。このとき位置検出センサ２８により位置検出部２７は被施療者２の肩位置を検出することができ、この肩位置を示す検出出力が演算部１８に出力され、演算部１８は、この検出出力を基準として、人体背部の主要な施療位置を算出することができる。
【００３６】
これにより、被施療者２の肩位置の情報と、操作部８に入力された施療位置情報から被施療者２に対するおおよそのツボ等の人体情報を把握することができ、被施療者２の要望通りの施療位置へ施療子３を移動させることができ、かつ、被施療者２の施療位置の個人差に対して対応することができる。
【００３７】
また、このような被施療者２の肩等の位置検出は、上述の構成に限られるものではなく、例えば、図５（ｂ）に示すように、ＣＣＤカメラ２９を位置検出手段として用いることとしてもよい。
【図面の簡単な説明】
【００３８】
【図１】（ａ）は、本発明の実施形態１のマッサージ機の斜視図であり、（ｂ）は、同上のマッサージ機の施療子の斜視図であり、（ｃ）は、同上のマッサージ機の動作ブロック図である。
【図２】（ａ）は、被押圧面に生じた押圧力の力成分Ｆｚを示す概略説明図であり、（ｂ）は、被押圧面に生じた押圧力の力成分Ｆｘ、Ｆｙを示す概略説明図であり、（ｃ）は、被押圧面に生じた押圧力の力成分Ｍｙを示す概略説明図であり、（ｄ）は、被押圧面に生じた押圧力の力成分Ｍｚを示す概略説明図である。
【図３】（ａ）は、本発明の実施形態２のマッサージ機において、押力センサを用いた場合を示す動作ブロック図であり、（ｂ）は、同上のマッサージ機において、横ずれセンサを用いた場合を示す動作ブロック図である。
【図４】（ａ）は、本発明の実施形態３の操作部を示す概略図であり、（ｂ）は、同上のマッサージ機の動作ブロック図である。
【図５】（ａ）は、同上の他のマッサージ機を示す概略説明図であり、（ｂ）は、同上のさらに他のマッサージ機を示す概略説明図である。
【符号の説明】
【００３９】
１    マッサージ機
１ａ  座部
１ｂ  背もたれ部
２    被施療者
３    施療子
４    第１の駆動部
５    第２の駆動部
６    駆動構成部
７    第３の駆動部
８    操作部
９    接触部
９ａ  ねじ部
１０    球体部
１１    球受部
１１ａ  保持部
１２    球対偶部
１３    電磁石
１３ａ  鉄心
１３ｂ  側片部
１４    台座
１４ａ  横片
１４ｂ  電磁石保持板
１４ｃ  切欠部
１５    磁界発生用コイル
１６    被押圧面
１７    ６軸の圧力センサ
１８    演算部
１９    信号処理部
【図１】
2008029899.tif 000003
【図２】
2008029899.tif 000004
【図３】
2008029899.tif 000005
【図４】
2008029899.tif 000006
【図５】
2008029899.tif 000007